(57)【要約】【課題】各可動接点部の対応する固定接点部に対する接触信頼性を向上できる複数極の電磁継電器を提供すること。【解決手段】電磁継電器が、第１可動接触片（３１）および第２可動接触片（５１）を備える。第１可動接触片（３１）が、第１可動接点部（３２）が設けられた第１面（３１１）と、第１面（３１１）に相対しかつ第２可動接触片（５１）および第２可動接点側端子（５０）の少なくともいずれかに対向する第２面（３１２）とを有する。第２可動接触片（５１）が、第１可動接触片（３１）および第１可動接点側端子（３０）の少なくともいずれかに対向する第３面（５１１）と、第３面（５１１）に相対しかつ第２可動接点部（５２）が設けられた第４面（５１２）とを有している。また、第１可動接触片（３１）および第２可動接触片（５１）を流れる電流の向きが相互に異なるように構成されている。【選択図】図２
2019032947.tif 000002
【特許請求の範囲】
【請求項１】
内部に収容部を有する箱形の絶縁性のハウジングと、
前記ハウジングに固定され、前記ハウジングの外部から前記収容部まで延びていると共に、前記収容部に位置する第１固定接点部を有する板状の第１固定接点側端子と、
前記ハウジングに固定され、前記ハウジングの外部から前記収容部まで延びていると共に、前記第１固定接点側端子に対して電気的に独立して配置されている板状の第１可動接点側端子と、
前記収容部に配置され、前記第１可動接点側端子から前記第１固定接点側端子に向かって延びかつ前記第１可動接点側端子と電気的に接続されていると共に、前記第１固定接点部に対向する第１可動接点部を有し、前記第１可動接点部が前記第１固定接点部に対して接触または開離する接離方向に弾性変形する板状の第１可動接触片と、
前記ハウジングに固定され、前記ハウジングの外部から前記収容部まで延びかつ前記第１固定接点側端子および前記第１可動接点側端子に対して電気的に独立して配置されていると共に、前記収容部に位置する第２固定接点部を有する板状の第２固定接点側端子と、
前記ハウジングに固定され、前記ハウジングの外部から前記収容部まで延びていると共に、前記第１固定接点側端子、前記第１可動接点側端子、および、前記第２固定接点側端子に対して電気的に独立して配置されている板状の第２可動接点側端子と、
前記第１可動接触片の板厚方向で前記第１可動接触片と隣接して前記収容部に配置され、前記第２可動接点側端子から前記第２固定接点側端子に向かって延びかつ前記第２可動接点側端子と電気的に接続されていると共に、前記第２固定接点部に対向する第２可動接点部を有し、前記第２可動接点部が前記第２固定接点部に対して前記接離方向に弾性変形する板状の第２可動接触片と、
を備え、
前記第１可動接触片は、その板厚方向に交差する方向に延びかつ前記第１可動接点部が設けられた第１面と、前記第１面に相対しかつ前記第２可動接触片および第２可動接点側端子の少なくともいずれかに対向する第２面とを有し、
前記第２可動接触片は、その板厚方向に交差する方向に延びかつ前記第１可動接触片および前記第１可動接点側端子の少なくともいずれかに対向する第３面と、前記第３面に相対しかつ前記第２可動接点部が設けられた第４面とを有しており、
前記第１可動接触片に対して、前記接離方向に交差する前記第１可動接触片の延在方向の一方側に配置されている前記第１固定接点側端子または前記第１可動接点側端子が、電流が供給される端子であると共に、前記第２可動接触片に対して、前記第１可動接触片の延在方向の他方側に配置されている前記第２固定接点側端子または前記第２可動接点側端子が、電流が供給される端子である、電磁継電器。
【請求項２】
前記収容部に設けられ、前記第１可動接触片との間に隙間を有するように配置されて前記第１可動接触片の前記第１面の少なくとも一部を覆い、前記第１可動接触片からの磁束を集める集磁片をさらに備える、請求項１の電磁継電器。
【請求項３】
前記集磁片が、
前記第１可動接触片の前記第１面の少なくとも一部を覆う横板部と、
前記横板部に接続され、前記第１面および前記第２面に交差しかつ前記第１可動接触片の延在方向に延びる側面の少なくとも一部を覆い、前記第１可動接触片からの磁束を集める縦板部と
を有している、請求項２の電磁継電器。
【請求項４】
前記集磁片が、前記縦板部に接続され、前記第１可動接触片の前記第２面の少なくとも一部を覆い、前記第１可動接触片からの磁束を集める補助横板部を有している、請求項３の電磁継電器。
【請求項５】
前記第１可動接点側端子の少なくとも一部を覆って前記第１可動接点側端子からの磁束を集める補助集磁片をさらに備える、請求項１から４のいずれか１つの電磁継電器。
【発明の詳細な説明】
【技術分野】
【０００１】
本発明は、複数極の電磁継電器に関する。
【背景技術】
【０００２】
特許文献１に開示されている電磁継電器は、内部に収容部を有する矩形箱形のハウジングと、このハウジングに固定された２つの固定接点側端子および２つの可動接点側端子とを備えている。この電磁継電器の収容部には、各固定接点側端子に設けられた２つの固定接点部と、各可動接点側端子に設けられた２つの可動接触片と、各可動接触片に設けられかつ各固定接点部に対向するように配置された２つの可動接点部と、供給された電流の方向により極性が反転する電磁石部と、電磁石部の極性に応じて異なる方向に回動する１つの回動ブロックとを備えている。
【０００３】
前記電磁継電器では、固定接点側端子、可動接点側端子および可動接触片で構成され、可動接触片が、ベース内で可動接点部が固定接点部に対して接触または開離する方向に並んで対向配置されている２つの回路が形成されている。各可動接触片は、相互に接近する方向に弾性変形することで、可動接点部を対向する固定接点部に接触させ、相互に離れる方向に弾性変形することで、可動接点部を対向する固定接点部から開離させるように配置されている。
【先行技術文献】
【特許文献】
【０００４】
【特許文献１】ＵＳ２００９／００３３４４６Ａ１
【発明の概要】
【発明が解決しようとする課題】
【０００５】
しかし、前記電磁継電器では、固定接点側端子および可動接点側端子のいずれから電流が供給された場合であっても、２つの可動接触片を流れる電流の方向が相互に異なるため、各可動接触片に対して相互に離れる方向に電磁反発力が発生する。すなわち、通電時に各可動接点部が対応する固定接点部から開離する方向に電磁反発力が働き、各可動接点部の対応する固定接点部に対する接触信頼性が低下する場合がある。
【０００６】
そこで、本発明は、各可動接点部の対応する固定接点部に対する接触信頼性を向上できる複数極の電磁継電器を提供することを課題とする。
【課題を解決するための手段】
【０００７】
本発明の一態様の電磁継電器は、
内部に収容部を有する箱形の絶縁性のハウジングと、
前記ハウジングに固定され、前記ハウジングの外部から前記収容部まで延びていると共に、前記収容部に位置する第１固定接点部を有する板状の第１固定接点側端子と、
前記ハウジングに固定され、前記ハウジングの外部から前記収容部まで延びていると共に、前記第１固定接点側端子に対して電気的に独立して配置されている板状の第１可動接点側端子と、
前記収容部に配置され、前記第１可動接点側端子から前記第１固定接点側端子に向かって延びかつ前記第１可動接点側端子と電気的に接続されていると共に、前記第１固定接点部に対向する第１可動接点部を有し、前記第１可動接点部が前記第１固定接点部に対して接触または開離する接離方向に弾性変形する板状の第１可動接触片と、
前記ハウジングに固定され、前記ハウジングの外部から前記収容部まで延びかつ前記第１固定接点側端子および前記第１可動接点側端子に対して電気的に独立して配置されていると共に、前記収容部に位置する第２固定接点部を有する板状の第２固定接点側端子と、
前記ハウジングに固定され、前記ハウジングの外部から前記収容部まで延びていると共に、前記第１固定接点側端子、前記第１可動接点側端子、および、前記第２固定接点側端子に対して電気的に独立して配置されている板状の第２可動接点側端子と、
前記第１可動接触片の板厚方向で前記第１可動接触片と隣接して前記収容部に配置され、前記第２可動接点側端子から前記第２固定接点側端子に向かって延びかつ前記第２可動接点側端子と電気的に接続されていると共に、前記第２固定接点部に対向する第２可動接点部を有し、前記第２可動接点部が前記第２固定接点部に対して前記接離方向に弾性変形する板状の第２可動接触片と、
を備え、
前記第１可動接触片は、その板厚方向に交差する方向に延びかつ前記第１可動接点部が設けられた第１面と、前記第１面に相対しかつ前記第２可動接触片および第２可動接点側端子の少なくともいずれかに対向する第２面とを有し、
前記第２可動接触片は、その板厚方向に交差する方向に延びかつ前記第１可動接触片および前記第１可動接点側端子の少なくともいずれかに対向する第３面と、前記第３面に相対しかつ前記第２可動接点部が設けられた第４面とを有しており、
前記第１可動接触片に対して、前記接離方向に交差する前記第１可動接触片の延在方向の一方側に配置されている前記第１固定接点側端子または前記第１可動接点側端子が、電流が供給される端子であると共に、前記第２可動接触片に対して、前記第１可動接触片の延在方向の他方側に配置されている前記第２固定接点側端子または前記第２可動接点側端子が、電流が供給される端子である。
【発明の効果】
【０００８】
前記態様の電磁継電器によれば、第１可動接触片および第２可動接触片を備え、第１可動接触片が、その板厚方向に交差する方向に延びかつ第１可動接点部が設けられた第１面と、その板厚方向において第１面に相対しかつ第２可動接触片および第２可動接点側端子の少なくともいずれかに対向する第２面とを有し、第２可動接触片が、その板厚方向に交差する方向に延びかつ第１可動接触片および第１可動接点側端子の少なくともいずれかに対向する第３面と、その板厚方向において第３面に相対しかつ第２可動接点部が設けられた第４面とを有している。また、第１可動接触片および第２可動接触片を流れる電流の向きが相互に異なっている。このため、通電時に、第１可動接触片および第２可動接触片に対して、各可動接点部が対応する固定接点部に接近する方向に電磁反発力が働き、各可動接点部の対応する固定接点部に対する接圧を高めることができる。その結果、各可動接点部の対応する固定接点部に対する接触信頼性を向上できる。
【図面の簡単な説明】
【０００９】
【図１】本発明の一実施形態の電磁継電器の斜視図。
【図２】図１の電磁継電器の平面図。
【図３】図２のIII-III線に沿った断面図。
【図４】図１の電磁継電器の第２集磁片および第２補助集磁片を説明するための斜視図。
【図５】図１の電磁継電器の第２集磁片および第２補助集磁片を説明するための図４とは異なる方向から見た斜視図。
【図６】図１の電磁継電器の駆動ユニットを説明するための平面図。
【図７】図１の電磁継電器の第１の変形例を示す側面図。
【図８】図１の電磁継電器の第２の変形例を示す斜視図。
【発明を実施するための形態】
【００１０】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１１】
本発明の一実施形態の電磁継電器１は、図１に示すように、箱形の絶縁性のハウジング１０と、このハウジング１０にそれぞれ固定された第１固定接点側端子２０、第１可動接点側端子３０、第２固定接点側端子４０、および、第２可動接点側端子５０を備えている。
【００１２】
第１固定接点側端子２０、第１可動接点側端子３０、第２固定接点側端子４０、および、第２可動接点側端子５０は、それぞれ長手方向の中間部が屈曲した略Ｌ字の矩形板状で導電性を有している。また、第１固定接点側端子２０および第１可動接点側端子３０の間に、第２固定接点側端子４０および第２可動接点側端子５０が配置されていると共に、第１固定接点側端子２０、第１可動接点側端子３０、第２固定接点側端子４０、および、第２可動接点側端子５０のハウジング１０の外部側の端部が、略一直線に並んでいる。
【００１３】
ハウジング１０は、図１に示すように、略矩形箱状のベース１１と略矩形板状のカバー１２とで構成され、図２に示すように、その内部に収容部１３を有している。すなわち、収容部１３は、ベース１１とカバー１２とで覆われている。
【００１４】
第１固定接点側端子２０は、図２に示すように、ベース１１の長手方向（すなわち、図２の左右方向）に対向する第１側壁１１１および第２側壁１１２のうちの第１側壁１１１に固定され、ハウジング１０の外部から収容部１３まで延びている。
【００１５】
詳しくは、第１固定接点側端子２０は、ハウジング１０の外部をベース１１の第１側壁１１１からベース１１の短手方向に沿って第３側壁１１３から第４側壁１１４に向かう方向（すなわち、図２の下向き）に延びる外端子２０１と、外端子２０１の第１側壁１１１側の端部に接続され、ハウジング１０の内部をベース１１の第１側壁１１１からベース１１の長手方向に沿って第２側壁１１２に向って延びる内端子２０２とで構成されている。内端子２０２の第４側壁１１４に対向する面には、第１固定接点部２１が固定されている。第１固定接点部２１は、ベース１１の第１側壁１１１近傍に配置されている。
【００１６】
第１可動接点側端子３０は、図２に示すように、ベース１１の第２側壁１１２の第１固定接点側端子２０よりも第４側壁１１４側に固定され、第１固定接点側端子２０に対して電気的に独立した状態でハウジング１０の外部から収容部１３まで延びている。
【００１７】
詳しくは、第１可動接点側端子３０は、ハウジング１０の外部をベース１１の第２側壁１１２からベース１１の短手方向に沿って第３側壁１１３から第４側壁１１４に向かう方向に延びる外端子３０１と、外端子３０１の第２側壁１１２側の端部に接続され、ハウジング１０の内部をベース１１の第２側壁１１２からベース１１の長手方向に沿って第１側壁１１１に向って延びる内端子３０２とで構成されている。
【００１８】
図２に示すように、第１可動接点側端子３０の内端子３０２の第１側壁１１１側の端部３０３には、第１可動接触片３１が設けられている。第１可動接触片３１は、収容部１３に配置され、第１可動接点側端子３０の端部３０３から第１固定接点側端子２０に向かって延びている。また、第１可動接触片３１は、一例として３枚の導電性を有する弾性変形可能な矩形の板部材をその板厚方向に重ねた板状積層体で構成され、その長手方向の一端部の板面が第１可動接点側端子３０の内端子３０２の端部３０３の板面に接触した状態で固定されている。第１可動接触片３１の長手方向の他端部のベース１１の第３側壁１１３に対向する面には、第１可動接点部３２が固定され、第１可動接触片３１の第４側壁１１４に対向する面は、後述する第２可動接点側端子５０の内端子５０２および第２可動接触片５１に対向している。すなわち、第１可動接触片３１は、その板厚方向（すなわち、ベース１１の短手方向）に配置されかつ第１可動接点部３２が設けられた第１面３１１と、第１可動接触片３１の板厚方向における第１面３１１の反対側に配置されかつ第２可動接触片５１および第２可動接点側端子５０の内端子５０２に対向する第２面３１２とを有している。第１可動接点部３２は、第１固定接点部２１に対して対向するように配置され、第１可動接触片３１が弾性変形することにより、第１固定接点部２１に対してベース１１の短手方向沿いに接触または開離するようになっている。
【００１９】
なお、第１面３１１における第１可動接触片３１の第１可動接点部３２と第１可動接点側端子３０の端部３０３との間には、ベース１１の第３側壁１１３に向かってＵ字状に突出した湾曲部３３が設けられている。この湾曲部３３により、第１可動接触片３１が弾性変形したときの第１可動接触片３１の撓み量を吸収および緩和し、円滑な動作特性を確保することができる。
【００２０】
図２に示すように、第１可動接点側端子３０には、第１可動接触片３１からの磁束を集める第１集磁片８０と、第１可動接点側端子３０の内端子３０２からの磁束を集める第１補助集磁片８３とが設けられている。第１集磁片８０は、一例として鉄で構成されており、図３に示すように、第１可動接触片３１との間に隙間８０１を有するように配置されて第１可動接触片３１の第１面３１１の少なくとも一部を覆っている。
【００２１】
詳しくは、第１集磁片８０は、第１可動接触片３１の第１面３１１の一部を覆う板状の横板部８１と、第１面３１１および第２面３１２に交差（例えば、直交）しかつ第１可動接触片３１の延在方向（すなわち、ベース１１の短手方向）に延びる両側面の一部をそれぞれ覆う２つの板状の縦板部８２とを有している。各縦板部８２は、図３に示すように、横板部８１の幅方向（すなわち、図３の左右方向）の両端部にそれぞれ接続され、ベース１１の第４側壁１１４に向かって延びている。なお、図３では、ハウジング１０を省略している。
【００２２】
また、第１補助集磁片８３は、一例として鉄で構成された板状を有し、図２に示すように、横板部８１の第２側壁１１２側の端部に接続され、第１可動接点側端子３０の内端子３０２の第３側壁１１３に対向する面の一部を覆っている。
【００２３】
第２固定接点側端子４０は、図２に示すように、ベース１１の第２側壁１１２の第１可動接点側端子３０よりも第４側壁１１４側に固定され、第１固定接点側端子２０および第１可動接点側端子３０に対して電気的に独立した状態でハウジング１０の外部から収容部１３まで延びている。
【００２４】
詳しくは、第２固定接点側端子４０は、ハウジング１０の外部をベース１１の第２側壁１１２からベース１１の短手方向に沿って第３側壁１１３から第４側壁１１４に向かう方向に延びる外端子４０１と、外端子４０１の第２側壁１１２側の端部に接続され、ハウジング１０の内部をベース１１の第２側壁１１２からベース１１の長手方向に沿って第１側壁１１１に向かって延びる内端子４０２とで構成されている。内端子４０２の第３側壁１１３に対向する面には、第２固定接点部４１が固定されている。第２固定接点部４１は、ベース１１の第２側壁１１２近傍に配置されている。
【００２５】
第２可動接点側端子５０は、図２に示すように、ベース１１の第４側壁１１４の第１側壁１１１側の端部に固定され、第１固定接点側端子２０、第１可動接点側端子３０、および、第２固定接点側端子４０に対して電気的に独立した状態でハウジング１０の外部から収容部１３まで延びている。
【００２６】
詳しくは、第１可動接点側端子３０は、ハウジング１０の外部をベース１１の第４側壁１１４からベース１１の短手方向に沿って第３側壁１１３から離れる方向に延びる外端子５０１と、外端子５０１の第４側壁１１２側の端部に接続され、ハウジング１０の内部を第４側壁１１４からベース１１の長手方向に沿って第１側壁１１１から第２側壁１１２に向かう方向に延びる内端子５０２とで構成されている。
【００２７】
図２に示すように、第２可動接点側端子５０の内端子５０２の第２側壁１１１側の端部５０３には、第２可動接触片５１が設けられている。第２可動接触片５１は、第１可動接触片３１の板厚方向（すなわち、ベース１１の短手方向）で第１可動接触片３１と隣接して収容部１３に配置され、第２可動接点側端子５０の端部５０３から第２固定接点側端子４０に向かって延びている。また、第２可動接触片５１は、一例として、第１可動接触片３１と同様に、３枚の導電性を有する弾性変形可能な矩形の板部材をその板厚方向に重ねた板状積層体で構成され、その長手方向の一端部の板面が第２可動接点側端子５０の内端子５０２の端部５０３の板面に接触した状態で固定されている。第２可動接触片５１の長手方向の他端部のベース１１の第４側壁１１４に対向する面には、第２可動接点部５２が固定され、第２可動接触片５１の第３側壁１１３に対向する面は、第１可動接点側端子３０の内端子３０２および第１可動接触片３１に対向している。すなわち、第２可動接触片５１は、その板厚方向（すなわち、ベース１１の短手方向）に配置されかつ第１可動接触片３１および第１可動接点側端子３０の内端子３０２に対向する第３面５１１と、第２可動接触片５１の板厚方向における第３面５１１の反対側に配置されかつ第２可動接点部５２が設けられた第４面５１２とを有している。第２可動接点部５２は、第２固定接点部４１に対して対向するように配置され、第２可動接触片５１が弾性変形することにより、第２固定接点部４１に対してベース１１の短手方向沿いに接触または開離するようになっている。
【００２８】
なお、第４面５１２における第２可動接触片５１の第２可動接点部５２と第２可動接点側端子５０の端部５０３との間には、ベース１１の第４側壁１１４に向かってＵ字状に突出した湾曲部５３が設けられている。この湾曲部５３により、第２可動接触片５１が弾性変形したときの第２可動接触片５１の撓み量を吸収および緩和し、円滑な動作特性を確保することができる。
【００２９】
また、図２に示すように、第２可動接点側端子５０には、第２可動接触片５１および第２可動接点側端子５０の内端子５０２からの磁束を集める第２集磁片１８０と、第２可動接点側端子５０の内端子５０２からの磁束を集める第２補助集磁片１８３とが設けられている。第２集磁片１８０は、この集磁片８０は、一例として鉄で構成されており、第２可動接触片５１との間に隙間８０２（図４および図５に示す）を有するように配置されて第２可動接触片５１の第４面５１２の少なくとも一部を覆っている。
【００３０】
詳しくは、第２集磁片１８０は、第１集磁片８０と同様の構成を有している。すなわち、第２集磁片１８０は、図４および図５に示すように、第２可動接触片５１の第４面５１２の一部を覆う板状の横板部１８１と、第３面５１１および第４面５１２に交差（例えば、直交）しかつ第２可動接触片５１の延在方向（すなわち、ベース１１の短手方向）に延びる両側面の一部をそれぞれ覆う２つの板状の縦板部１８２とを有している。各縦板部１８２は、横板部１８１の幅方向（すなわち、図４のＸ方向）の両端部にそれぞれ接続され、図２に示すように、ベース１１の第３側壁１１３に向かって延びている。
【００３１】
また、第２補助集磁片１８３は、一例として鉄で構成された板状を有し、図２に示すように、横板部８１の第１側壁１１１側の端部に接続され、第２可動接点側端子５０の内端子５０２の第４側壁１１４に対向する面の一部を覆っている。
【００３２】
また、電磁継電器１は、図２に示すように、電磁石部６０、回動ブロック７０、絶縁性の第１可動部材９０、および、絶縁性の第２可動部材１００を有する駆動ユニット２を備えている。この駆動ユニット２は、ハウジング１０の収容部１３に収容されている。
【００３３】
電磁石部６０は、図２に示すように、収容部１３の第２側壁１１２に隣接する位置に配置されている。この電磁石部６０は、ベース１１の長手方向に延びる巻回中心軸ＣＬを中心に巻回されたコイル６１と、巻回中心軸ＣＬが延びる電磁石部６０の軸方向の両端からコイル６１の外面に沿ってそれぞれ延びている板状の第１ヨーク６２および板状の第２ヨーク６３とを有している。第１ヨーク６２および第２ヨーク６３は、第１可動接触片３１および第２可動接触片５１と電磁石部６０との間に配置されている。なお、図示していないが、電磁石部６０にはコイル端子が設けられており、このコイル端子を介して、電磁石部６０に２つの異なる方向の電流を選択的に供給可能になっている。
【００３４】
第１ヨーク６２は、図６に示すように、電磁石部６０の軸方向における第１側壁１１１側の端部からベース１１の第１側壁１１１に沿って第３側壁１１３から第４側壁１１４に向かう方向（すなわち、図６の下向き）に延びる接続部６２１と、この接続部６２１の電磁石部６０から遠い方の先端部から巻回中心軸ＣＬの延在方向に沿って第１側壁１１１から第２側壁１１２に向かう方向（すなわち、図６の右向き）に延びる吸着部６２２とで構成されている。
【００３５】
第２ヨーク６３は、図６に示すように、電磁石部６０の軸方向における第２側壁１１２側の端部からベース１１の第２側壁１１２に沿って第３側壁１１３から第４側壁１１４に向かう方向に延びる接続部６３１と、この接続部６３１の電磁石部６０から遠い方の先端部から巻回中心軸ＣＬの延在方向に沿って第２側壁１１２から第１側壁１１１に向かう方向（すなわち、図６の左向き）に延びる吸着部６３２とで構成されている。
【００３６】
第１ヨーク６２の吸着部６２２と第２ヨーク６３の吸着部６３２とは、ベース１１の高さ方向（すなわち、図６の紙面貫通方向）に沿った平面視において、巻回中心軸ＣＬの延在方向に沿って延びる中心線が相互に一致するように配置されている。すなわち、第１ヨーク６２の吸着部６２２の先端面と第２ヨーク６３の吸着部６３２の先端面とは、相互に対向しており、その間に回動ブロック７０を配置可能な回動ブロック配置空間６４が設けられている。
【００３７】
図２に示すように、第１ヨーク６２の吸着部６２２および第２ヨーク６３の吸着部６３２には、ベース１１の高さ方向に突出する突起部６２５、６３５がそれぞれ設けられている。各突起部６２５、６３５は、後述する固定板６６の貫通孔６６１、６６２に嵌合可能になっている。
【００３８】
回動ブロック７０は、図６に示すように、ハウジング１０のベース１１に対して、ベース１１の高さ方向に延びる回動軸７１周りに回動可能に収容部１３の回動ブロック配置空間６４に配置されて、電磁石部６０に供給された電流の方向に応じてハウジング１０のベース１１に対して異なる方向に回動する。詳しくは、回動ブロック７０は、ブロックハウジング７２（図２に示す）と、ブロックハウジング７２の内部に設けられた永久磁石７３と、この永久磁石７３を挟んで対向するようにブロックハウジング７２にそれぞれ固定された板状の第１鉄片７４および板状の第２鉄片７５とを有している。また、ブロックハウジング７２の第４側壁１１４側かつ第１側壁１１１側の端部には、ベース１１の第１側壁１１１に向かって延びる第１腕部７２１が設けられ、ブロックハウジング７２の第４側壁１１４側かつ第２側壁１１２側の端部には、ベース１１の第２側壁１１２に向かって延びる第２腕部７２２が設けられている。
ている。
【００３９】
第１鉄片７４は、永久磁石７３から第１ヨーク６３に向かって突出する第１端部７４１と、永久磁石７３から第２ヨーク６３に向かって突出する第２端部７４２とを有しており、第１ヨーク６２の吸着部６２２および第２ヨーク６３の吸着部６３２に対して第３側壁１１３側に配置されている。
【００４０】
第２鉄片７５は、永久磁石７３から第１ヨーク６３に向かって突出する第１端部７５１と、永久磁石７３から第２ヨーク６３に向かって突出する第２端部７５２とを有しており、第１ヨーク６２の吸着部６２２および第２ヨーク６３の吸着部６３２に対して第４側壁１１４側に配置されている。
【００４１】
第１鉄片７４および第２鉄片７５の第１端部７４１、７５１間には、第１ヨーク６２が配置されて、第１鉄片７４および第２鉄片７５のいずれかの第１端部７４１、７５１が、回動ブロック７０の回動方向で第１ヨーク６２に接触するように構成されている。また、第１鉄片７４および第２鉄片７５の第２端部７４２、７５２間には、第２ヨーク６３が配置されて、第１鉄片７４および第２鉄片７５のいずれかの第２端部７４２、７５２が、回動ブロック７０の回動方向で第２ヨーク６３に接触するように構成されている。
【００４２】
また、回動ブロック７０は、ハウジング１０のベース１１と、電磁石部６０の第１ヨーク６２および第２ヨーク６３に固定された固定板６６とに回動可能に支持されている。固定板６６は、図２に示すように、略矩形の板状で、長手方向の両端部にそれぞれ板厚方向に貫通する貫通孔６６１、６６２を有している。各貫通孔６６１、６６２は、それぞれ第１ヨーク６２の突起部６２５および第２ヨーク６３の突起部６３５に嵌合されている。また、固定板６６の中央には、回動ブロック７０の回動軸７１を構成するブロックハウジング７２の回動軸部７６を挿入可能な軸孔部６６３が設けられている。
【００４３】
第１可動部材９０は、図２に示すように、第１可動接触片３１と回動ブロック７０の第１腕部７２１とに接続されていると共に、回動ブロック７０の回動方向に応じて移動して第１可動接触片３１を弾性変形させて第１可動接点部３２を第１固定接点部２１に対して接触または開離させる。
【００４４】
詳しくは、第１可動部材９０は、回動ブロック７０の回動を第１可動接点部３２が第１固定接点部２１に対して接触または開離する接離方向（すなわち、ベース１１の短手方向（図２の上下方向））の直線運動に変換可能であり、かつ、回動ブロック７０の第１腕部７２１の先端部に回動ブロック７０の回動を許容しつつ接続されていると共に、第１可動接触片３１の延在方向における第１側壁１１１側の端部（すなわち、図２の左側の端部）に接続されている。すなわち、第１可動部材９０は、回動ブロック７０の回動により接離方向に移動して、第１可動接触片３１の延在方向における第１側壁１１１側の端部を第１可動接点部３２が第１固定接点部２１に対して接触または開離する接離方向に移動させる。
【００４５】
第２可動部材１００は、図２に示すように、第２可動接触片５１と回動ブロック７０の第２腕部７２２とに接続されていると共に、回動ブロック７０の回動方向に応じて移動して第２可動接触片５１を弾性変形させて第２可動接点部５２を第２固定接点部４１に対して接触または開離させる。
【００４６】
詳しくは、第２可動部材１００は、回動ブロック７０の回動を第２可動接点部５２が第２固定接点部４１に対して接触または開離する接離方向（すなわち、図２の上下方向）の直線運動に変換可能であり、かつ、回動ブロック７０の第２腕部７２２の先端部に回動ブロック７０の回動を許容しつつ接続されていると共に、第２可動接触片５１の延在方向における第２側壁１１２側の端部（すなわち、図２の右側の端部）に接続されている。すなわち、第２可動部材１００は、回動ブロック７０の回動により接離方向に移動して、第２可動接触片５１の延在方向における第２側壁１１２側の端部を第２可動接点部５２が第２固定接点部４１に対して接触または開離する接離方向に移動させる。
【００４７】
前記電磁継電器１では、図２に示す動作状態（すなわち、回動ブロック７０の第２鉄片７５の第１端部７５１が、第１ヨーク６２の吸着部６２２に接触し、回動ブロック７０の第１鉄片７４の第２端部７４２が、第２ヨーク６３の吸着部６３２に接触して、第１可動接点部３２と第１固定接点部２１とが接触し、第２可動接点部５２と第２固定接点部４１とが接触した状態）の電磁継電器１の電磁石部６０に所定方向（例えば、図２のＡ方向）の電流を供給して、回動ブロック７０を回動ブロック７０の回動軸７１の延在方向から見て時計回りに回転させる。すると、回動ブロック７０の回転に伴って、各腕部７２１、７２２も時計回りに回転し、第１可動部材９０をベース１１の第４側壁１１４に向かって移動させて、第１可動接点部３２を第１固定接点部２１から開離させると共に、第２可動部材１００をベース１１の第３側壁１１３に向かって移動させて、第２可動接点部５２を第２固定接点部４１から開離させる。これにより、電磁継電器１は、動作状態から復帰状態（すなわち、回動ブロック７０の第１鉄片７４の第１端部７４１が、第１ヨーク６２の吸着部６２２に接触し、回動ブロック７０の第２鉄片７５の第２端部７５２が、第２ヨーク６３の吸着部６３２に接触して、第１可動接点部３２が第１固定接点部２１から開離し、第２可動接点部５２が第２固定接点部４１から開離接触した状態）になる。
【００４８】
動作状態の電磁継電器１では、第１可動接触片３１に対して、接離方向に交差する第１可動接触片３１の延在方向の一方側（例えば、図２の左側）に配置されている第１固定接点側端子２０または第１可動接点側端子３０（ここでは、第１固定接点側端子２０）が、電流が供給される端子である。また、第２可動接触片５１に対して、第１可動接触片３１の延在方向の他方側（例えば、図２の右側）に配置されている第２固定接点側端子４０または第２可動接点側端子５０（ここでは、第２固定接点側端子４０）が、電流が供給される端子である。すなわち、前記電磁継電器１では、通電時において、第１固定接点側端子２０、第１可動接点側端子３０、および、第１可動接触片３１で構成される第１導電部３と、第２固定接点側端子４０、第２可動接点側端子５０、および、第２可動接触片５１で構成される第２導電部４とに、相互に反対方向の電流が流れる（図２に、第１導電部３を流れる電流の方向を矢印Ｃで示し、第２導電部４を流れる電流の方向を矢印Ｄで示す）。
【００４９】
また、復帰状態の電磁継電器１の電磁石部６０に所定方向とは異なる方向（例えば、図２のＢ方向）の電流を供給して、回動ブロック７０を回動ブロック７０の回動軸７１の延在方向から見て反時計回りに回転させる。すると、回動ブロック７０の回転に伴って、各腕部７２１、７２２も反時計回りに回転し、第１可動部材９０をベース１１の第３側壁１１３に向かって移動させて、第１可動接点部３２を第１固定接点部２１に対して接触させると共に、第２可動部材１００をベース１１の第４側壁１１４に向かって移動させて、第２可動接点部５２を第２固定接点部４１に対して接触させる。
【００５０】
前記電磁継電器１では、第１可動接触片３１および第２可動接触片５１を備え、第１可動接触片３１が、その板厚方向に交差する方向に延びかつ第１可動接点部３２が設けられた第１面３１１と、その板厚方向において第１面３１１に相対しかつ第２可動接触片５１および第２可動接点側端子５０の内端子５０２に対向する第２面３１２とを有し、第２可動接触片５１が、その板厚方向に交差する方向に延びかつ第１可動接触片３１および第１可動接点側端子３０の内端子３０２に対向する第３面５１１と、その板厚方向において第３面５１１に相対しかつ第２可動接点部５２が設けられた第４面５１２とを有している。また、第１可動接触片３１および第２可動接触片５１を流れる電流が相互に反対方向に流れる。このため、通電時に、第１可動接触片３１および第２可動接触片５１に対して、各可動接点部３２、５２が対応する固定接点部２１、４１に接近する方向に電磁反発力が働き、各可動接点部３２、５２の対応する固定接点部２１、４１に対する接圧を高めることができる。その結果、各可動接点部３２、５２の対応する固定接点部２１、４１に対する接触信頼性を向上できる。
【００５１】
また、第１可動接触片３１との間に隙間を有するように配置されて第１可動接触片３１の第１面３１１の少なくとも一部を覆い、第１可動接触片３１からの磁束を集める第１集磁片８０を備えている。この第１集磁片８０により、第１可動接触片３１からその周囲に広がる磁束を集め、第１可動接触片３１と第２可動接触片５１および第２可動接点側端子５０との間に発生する電磁反発力を高めて、第１可動接点部３２の第１固定接点部２１に対する接圧を高めることができる。その結果、第１可動接点部３２の第１固定接点部２１に対する接触信頼性を向上できる。
【００５２】
さらに、前記電磁継電器１では、第２可動接触片５１との間に隙間を有するように配置されて第２可動接触片５１の第４面５１２の少なくとも一部を覆い、第２可動接触片５１からの磁束を集める第２集磁片１８０を備えている。この第２集磁片１８０により、第２可動接触片５１からその周囲に広がる磁束を集め、第２可動接触片５１と第１可動接触片３１および第１可動接点側端子３０との間に発生する電磁反発力を高めて、第２可動接点部５２の第２固定接点部４１に対する接圧を高めることができる。その結果、第２可動接点部５２の第２固定接点部４１に対する接触信頼性を向上できる。
【００５３】
また、第１集磁片８０が、第１可動接触片３１の第１面３１１の少なくとも一部を覆う横板部８１と、横板部８１に接続され、第１面３１１および第２面３１２に交差しかつ第１可動接触片３１の延在方向に延びる側面の少なくとも一部を覆い、第１可動接触片３１からの磁束を集める縦板部８２とを有している。このため、第１可動接触片３１からその周囲に広がる磁束をより多く集めて、第１可動接点部３２の第１固定接点部２１に対する接圧を確実に高めることができる。その結果、第１可動接点部３２の第１固定接点部２１に対する接触信頼性を向上できる。
【００５４】
さらに、前記電磁継電器１では、第２可動接触片５１の第４面５１２の少なくとも一部を覆う横板部１８１と、横板部１８１に接続され、第３面５１１および第４面５１２に交差しかつ第２可動接触片５１の延在方向に延びる側面の少なくとも一部を覆い、第２可動接触片５１からの磁束を集める縦板部１８２とを有している。このため、第２可動接触片５１からその周囲に広がる磁束をより多く集めて、第２可動接点部５２の第２固定接点部４１に対する接圧を確実に高めることができる。その結果、第２可動接点部５２の第２固定接点部４１に対する接触信頼性を向上できる。
【００５５】
また、第１可動接点側端子３０の少なくとも一部を覆って第１可動接点側端子３０からの磁束を集める第１補助集磁片８３をさらに備えている。この第１補助集磁片８３により、第１可動接点側端子３０の内端子３０２からその周囲に広がる磁束を集め、第１可動接点側端子３０と第２可動接触片５１および第２可動接点側端子５０との間に発生する電磁反発力を高めて、第１可動接点部３２の第１固定接点部２１に対する接圧を高めることができる。その結果、第１可動接点部３２の第１固定接点部２１に対する接触信頼性を向上できる。
【００５６】
さらに、第２可動接点側端子５０の少なくとも一部を覆って第２可動接点側端子５０からの磁束を集める第２補助集磁片１８３をさらに備えている。この第２補助集磁片１８３により、第２可動接点側端子５０の内端子５０２からその周囲に広がる磁束を集め、第２可動接点側端子５０と第１可動接触片３１および第１可動接点側端子３０との間に発生する電磁反発力を高めて、第２可動接点部５２の第２固定接点部４１に対する接圧を高めることができる。その結果、第２可動接点部５２の第２固定接点部４１に対する接触信頼性を向上できる。
【００５７】
なお、前記電磁継電器１では、第１固定接点側端子２０、第１可動接点側端子３０、および、第１可動接触片３１で構成された回路と、第２固定接点側端子４０、第２可動接点側端子５０、および、第２可動接触片５１で構成された回路とが設けられているが、これに限らない。回路数は、複数であればよく、３以上の回路を有するように構成してもよい。
【００５８】
また、第１可動接触片３１は、第２可動接点接触片５１および第２可動接点側端子５０の内端子５０２の少なくともいずれかに対向するように構成されていればよく、また、第２可動接触片５１は、第１可動接触片３１および第１可動接点端子３０の内端子３０２の少なくともいずれかに対向するように構成されていればよい。
【００５９】
また、前記電磁継電器１では、第１可動接触片３１に第１集磁片８０を設け、第１可動接点側端子３０に第１補助集磁片８３を設けていると共に、第２可動接触片５１に第２集磁片１８０を設け、第２可動接点側端子５０に第２補助集磁片１８３を設けているが、これに限らない。第１集磁片８０および第１補助集磁片８３または第２集磁片１８０および第２補助集磁片１８３のいずれか一方のみを設けてもよい。また、可動接触片および可動接点側端子が３以上設けられている場合は、設けられている可動接触片および可動接点側端子のいずれか１組に集磁片および補助集磁片を設けてもよいし、設けられている可動接触片および可動接点側端子のいずれか複数組に集磁片および補助集磁片を設けてもよいし、設けられている可動接触片および可動接点側端子の全ての組に集磁片および補助集磁片を設けてもよい。さらに、第１集磁片８０および／または第２集磁片１８０のみ設けてもよいし、第１補助集磁片８３および／または第２補助集磁片１８３のみ設けてもよい。なお、第１集磁片８０および／または第２集磁片１８０のみを設ける場合、例えば、ハウジング１０に第１集磁片８０および／または第２集磁片１８０を保持する保持部を設ければよい。
【００６０】
また、第１集磁片８０は、横板部８１と縦板部８２とを有する場合に限らない。例えば、図７に示すように、横板部８１のみ有するように構成してもよい。なお、図示していないが、第２集磁片１８０についても同様に、横板部１８１のみ有するように構成してもよい。
【００６１】
また、図８に示すように、第１集磁片８０は、横板部８１および縦板部８２に加えて、第１可動接触片３１の第２面３１２の少なくとも一部を覆う補助横板部８４を有してもよい。補助横板部８４は、横板部８１に対向するように配置され、その幅方向（図８のＸ方向）の両端部にそれぞれ各縦板部８２が接続されている。すなわち、第１集磁片８０は、横板部８１、２つの縦板部８２、および、補助横板部８４により、第１可動接触片３１の延在方向（すなわち、図８のＹ方向）における第１可動接触片３１の周囲を隙間８０１を空けた状態で取り囲んでいる。これにより、第１可動接触片３１からその周囲に広がる磁束をより多く集めて、第１可動接点部３２の第１固定接点部２１に対する接圧を確実に高めることができる。その結果、第１可動接点部３２の第１固定接点部２１に対する接触信頼性を向上できる。なお、図示していないが、第２集磁片１８０についても同様に、補助横板部のみ有するように構成してもよい。
【００６２】
また、第１補助集磁片８３により、第１可動接点側端子３０の内端子３０２の延在方向における第１可動接点側端子３０の周囲を取り囲むように構成してもよいし、第２補助集磁片１８３により、第２可動接点側端子５０の延在方向における第２可動接点側端子５０の周囲を取り囲むように構成してもよい。これにより、第１可動接点側端子３０および／または第２可動接点側端子５０からその周囲に広がる磁束をより多く集めて、第１可動接点部３２の第１固定接点部２１に対する接圧および／または第２可動接点部５２の第２固定接点部４１に対する接圧を確実に高めることができる。その結果、第１可動接点部３２の第１固定接点部２１に対する接触信頼性および／または第２可動接点部５２の第２固定接点部４１に対する接触信頼性を向上できる。なお、第１補助集磁片８３および第２補助集磁片１８３は、第１可動接点側端子３０および第２可動接点側端子５０に接触するように設けてもよいし、隙間を空けて設けてもよい。
【００６３】
以上、図面を参照して本発明における種々の実施形態を詳細に説明したが、最後に、本発明の種々の態様について説明する。
【００６４】
本発明の第１態様の電磁継電器は、
内部に収容部を有する箱形の絶縁性のハウジングと、
前記ハウジングに固定され、前記ハウジングの外部から前記収容部まで延びていると共に、前記収容部に位置する第１固定接点部を有する板状の第１固定接点側端子と、
前記ハウジングに固定され、前記ハウジングの外部から前記収容部まで延びていると共に、前記第１固定接点側端子に対して電気的に独立して配置されている板状の第１可動接点側端子と、
前記収容部に配置され、前記第１可動接点側端子から前記第１固定接点側端子に向かって延びかつ前記第１可動接点側端子と電気的に接続されていると共に、前記第１固定接点部に対向する第１可動接点部を有し、前記第１可動接点部が前記第１固定接点部に対して接触または開離する接離方向に弾性変形する板状の第１可動接触片と、
前記ハウジングに固定され、前記ハウジングの外部から前記収容部まで延びかつ前記第１固定接点側端子および前記第１可動接点側端子に対して電気的に独立して配置されていると共に、前記収容部に位置する第２固定接点部を有する板状の第２固定接点側端子と、
前記ハウジングに固定され、前記ハウジングの外部から前記収容部まで延びていると共に、前記第１固定接点側端子、前記第１可動接点側端子、および、前記第２固定接点側端子に対して電気的に独立して配置されている板状の第２可動接点側端子と、
前記第１可動接触片の板厚方向で前記第１可動接触片と隣接して前記収容部に配置され、前記第２可動接点側端子から前記第２固定接点側端子に向かって延びかつ前記第２可動接点側端子と電気的に接続されていると共に、前記第２固定接点部に対向する第２可動接点部を有し、前記第２可動接点部が前記第２固定接点部に対して前記接離方向に弾性変形する板状の第２可動接触片と、
を備え、
前記第１可動接触片は、その板厚方向に交差する方向に延びかつ前記第１可動接点部が設けられた第１面と、前記第１面に相対しかつ前記第２可動接触片および第２可動接点側端子の少なくともいずれかに対向する第２面とを有し、
前記第２可動接触片は、その板厚方向に交差する方向に延びかつ前記第１可動接触片および前記第１可動接点側端子の少なくともいずれかに対向する第３面と、前記第３面に相対しかつ前記第２可動接点部が設けられた第４面とを有しており、
前記第１可動接触片に対して、前記接離方向に交差する前記第１可動接触片の延在方向の一方側に配置されている前記第１固定接点側端子または前記第１可動接点側端子が、電流が供給される端子であると共に、前記第２可動接触片に対して、前記第１可動接触片の延在方向の他方側に配置されている前記第２固定接点側端子または前記第２可動接点側端子が、電流が供給される端子である。
【００６５】
第１態様の電磁継電器によれば、第１可動接触片および第２可動接触片を備え、第１可動接触片が、その板厚方向に交差する方向に延びかつ第１可動接点部が設けられた第１面と、第１面に相対しかつ第２可動接触片および第２可動接点側端子の少なくともいずれかに対向する第２面とを有し、第２可動接触片が、その板厚方向に交差する方向に延びかつ第１可動接触片および第１可動接点側端子の少なくともいずれかに対向する第３面と、第３面に相対しかつ第２可動接点部が設けられた第４面とを有している。また、第１可動接触片および第２可動接触片を流れる電流の向きが相互に異なっている。このため、通電時に、第１可動接触片および第２可動接触片に対して、各可動接点部が対応する固定接点部に接近する方向に電磁反発力が働き、各可動接点部の対応する固定接点部に対する接圧を高めることができる。その結果、各可動接点部の対応する固定接点部に対する接触信頼性を向上できる。
【００６６】
本発明の第２態様の電磁継電器は、
前記収容部に設けられ、前記第１可動接触片との間に隙間を有するように配置されて前記第１可動接触片の前記第１面の少なくとも一部を覆い、前記第１可動接触片からの磁束を集める集磁片をさらに備える。
【００６７】
第２態様の電磁継電器によれば、集磁片により、第１可動接触片からその周囲に広がる磁束を集め、第１可動接触片と第２可動接触片および第２可動接点側端子との間に発生する電磁反発力を高めて、第１可動接点部の第１固定接点部に対する接圧を高めることができる。その結果、第１可動接点部の第１固定接点部に対する接触信頼性を向上できる。
【００６８】
本発明の第３態様の電磁継電器は、
前記集磁片が、
前記第１可動接触片の前記第１面の少なくとも一部を覆う横板部と、
前記横板部に接続され、前記第１面および前記第２面に交差しかつ前記第１可動接触片の延在方向に延びる側面の少なくとも一部を覆い、前記第１可動接触片からの磁束を集める縦板部と
を有している。
【００６９】
第３態様の電磁継電器によれば、第１可動接触片からその周囲に広がる磁束をより多く集めて、第１可動接点部の第１固定接点部に対する接圧を確実に高めることができる。その結果、第１可動接点部の第１固定接点部に対する接触信頼性を向上できる。
【００７０】
本発明の第４態様の電磁継電器は、
前記集磁片が、前記縦板部に接続され、前記第１可動接触片の前記第２面の少なくとも一部を覆い、前記第１可動接触片からの磁束を集める補助横板部を有している。
【００７１】
第４態様の電磁継電器によれば、第１可動接触片３１が、横板部、縦板部、および、補助横板部により、取り囲まれている。これにより、第１可動接触片からその周囲に広がる磁束をより多く集めて、第１可動接点部の第１固定接点部に対する接圧を確実に高めることができる。その結果、第１可動接点部の第１固定接点部に対する接触信頼性を向上できる。
【００７２】
本発明の第５態様の電磁継電器は、
前記第１可動接点側端子の少なくとも一部を覆って前記第１可動接点側端子からの磁束を集める補助集磁片をさらに備える。
【００７３】
第５態様の電磁継電器によれば、補助集磁片により、第１可動接点側端子からその周囲に広がる磁束を集め、第１可動接点側端子と第２可動接触片および第２可動接点側端子との間に発生する電磁反発力を高めて、第１可動接点部の第１固定接点部に対する接圧を高めることができる。その結果、第１可動接点部の第１固定接点部に対する接触信頼性を向上できる。
【００７４】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００７５】
本発明の電磁継電器は、例えば、スマートメータに適用できる。
【符号の説明】
【００７６】
１  電磁継電器
２  駆動ユニット
１０  ハウジング
１１  ベース
１１１  第１側壁
１１２  第２側壁
１１３  第３側壁
１１４  第４側壁
１２  カバー
１３  収容部
２０  第１固定接点側端子
２０１  外端子
２０２  内端子
２１  第１固定接点部
３０  第１可動接点側端子
３０１  外端子
３０２  内端子
３０３  端部
３１  第１可動接触片
３２  第１可動接点部
３３  湾曲部
４０  第２固定接点側端子
４０１  外端子
４０２  内端子
４１  第２固定接点部
５０  第２可動接点側端子
５０１  外端子
５０２  内端子
５０３  端部
５１  第２可動接触片
５２  第２可動接点部
５３  湾曲部
６０  電磁石部
６１  コイル
６２  第１ヨーク
６２１  接続部
６２２  吸着部
６３  第２ヨーク
６３１  接続部
６３２  吸着部
６４  回動ブロック配置空間
６６  固定板
７０  回動ブロック
７１  回動軸
７２  ブロックハウジング
７２１  第１腕部
７２２  第２腕部
７３  永久磁石
７４  第１鉄片
７４１  第１端部
７４２  第２端部
７５  第２鉄片
７５１  第１端部
７５２  第２端部
８０  第１集磁片
８１  横板部
８２  縦板部
８３  第１補助集磁片
８４  補助横板部
１８０  第２集磁片
１８１  横板部
１８２  縦板部
１８３  第２補助集磁片
９０  第１可動部材
１００  第２可動部材
ＣＬ  巻回中心軸
【図１】
2019032947.tif 000003
【図２】
2019032947.tif 000004
【図３】
2019032947.tif 000005
【図４】
2019032947.tif 000006
【図５】
2019032947.tif 000007
【図６】
2019032947.tif 000008
【図７】
2019032947.tif 000009
【図８】
2019032947.tif 000010